(57)【要約】【課題】透光部で光がぼやけにくいインターホン機器を提供する。【解決手段】点灯突起部２１の内面側に凹部２４を設け、通電表示用ＬＥＤ１１により照射される照射面を、その周囲よりも前側へ凹ませた。そのため、通電表示用ＬＥＤ１１の光の周囲の面への乱反射を抑制することができる。すなわち、通電表示用ＬＥＤ１１の光が、凹部２４（点灯突起部２１）を越えて周囲に拡散しにくい構造となっている。したがって、本体ケースの前面側から視認した際、操作部２０が広範囲にわたりぼやけて光ったりすることがなく、通電表示用ＬＥＤ１１の光によって点灯突起部２１を従来よりも鮮明に光らせることができる。【選択図】図６
2017034299.tif 000002
【特許請求の範囲】
【請求項１】
本体ケースの表面に、透光性を有する合成樹脂からなる透光部を設けるとともに、前記本体ケース内における前記透光部の内側に、光源を設置しており、前記光源が発する光を前記本体ケース外から視認可能としたインターホン機器であって、
前記透光部における前記本体ケースの内面側に、本体ケース外側へ凹んだ凹部を設け、前記光源に照射される照射面を、前記本体ケースの内面側における前記照射面の周囲の面よりも本体ケース外側へ凹ませていることを特徴とするインターホン機器。
【請求項２】
前記本体ケース内に、遮光性を有する合成樹脂製で、前記光源から前記凹部へかけて延びる筒状の導光筒部を設けたことを特徴とする請求項１に記載のインターホン機器。
【発明の詳細な説明】
【技術分野】
【０００１】
本発明は、たとえば玄関に設置され、来訪者により呼出操作されると、居室内に設置されているインターホン親機を呼び出すインターホン子機等といったインターホン機器に関するものである。
【背景技術】
【０００２】
従来、たとえば玄関に設置されるインターホン子機では、夜間等に来訪者が呼出ボタンを操作しやすいように、呼出ボタンそのものや呼出ボタンの近傍に点灯部を設けることがある。また、その点灯部を、インターホン子機が通電状態にあることを示す通電表示部として兼用させたものも考案されている。たとえば特許文献１に記載の発明では、呼出ボタンに点灯突起部を形成するとともに、インターホン子機の本体ケース内部における点灯突起部の後側となる位置にＬＥＤ等の光源を設置している。そして、光源の光が点灯突起部を介して本体ケースの前側から視認可能となることで、たとえ夜間であっても呼出ボタンの位置を容易に把握可能としている。
【先行技術文献】
【特許文献】
【０００３】
【特許文献１】特開２０１２−２５７１４９号公報
【発明の概要】
【発明が解決しようとする課題】
【０００４】
しかしながら、従来のように光源の光により照射される照射面（すなわち、点灯突起部における本体ケース内側の照射面）を、その周囲の面と面一に形成してしまうと、光が照射面のみならず、周囲の面にかけても乱反射して拡散してしまい、本体ケースの前面側から視認した際、透光部で光がぼやけてしまうという問題があった。
【０００５】
そこで、本発明は、上記問題に鑑みなされたものであって、透光部で光がぼやけにくいインターホン機器を提供しようとするものである。
【課題を解決するための手段】
【０００６】
上記目的を達成するために、本発明のうち請求項１に記載の発明は、本体ケースの表面に、透光性を有する合成樹脂からなる透光部を設けるとともに、前記本体ケース内における前記透光部の内側に、光源を設置しており、前記光源が発する光を前記本体ケース外から視認可能としたインターホン機器であって、前記透光部における前記本体ケースの内面側に、本体ケース外側へ凹んだ凹部を設け、前記光源に照射される照射面を、前記本体ケースの内面側における前記照射面の周囲の面よりも本体ケース外側へ凹ませていることを特徴とする。
請求項１に記載の発明によれば、透光部における本体ケースの内面側に、本体ケース外側へ凹んだ凹部を設け、光源に照射される照射面を、本体ケースの内面側における照射面の周囲の面よりも本体ケース外側へ凹ませている。したがって、光源が発光した際、その光が従来の如く透光部の周囲にまで拡散しにくいことから、光源の光がぼやけたりせず、透光部を従来よりも鮮明に光らせることができる。
【０００７】
請求項２に記載の発明は、請求項１に記載の発明において、本体ケース内に、遮光性を有する合成樹脂製で、光源から凹部へかけて延びる筒状の導光筒部を設けたことを特徴とする。
請求項２に記載の発明によれば、本体ケース内に、遮光性を有する合成樹脂製で、光源から凹部へかけて延びる筒状の導光筒部を設けているため、光源の光を凹部へのみ集中させることができ、透光部を一層鮮明に光らせることができる。
【発明の効果】
【０００８】
本発明によれば、透光部における本体ケースの内面側に、本体ケース外側へ凹んだ凹部を設け、光源に照射される照射面を、本体ケースの内面側における照射面の周囲の面よりも本体ケース外側へ凹ませている。したがって、光源が発光した際、その光が従来の如く透光部の周囲にまで拡散しにくいことから、光源の光がぼやけたりせず、透光部を従来よりも鮮明に光らせることができる。
【図面の簡単な説明】
【０００９】
【図１】インターホン子機を前側から示した斜視説明図である。
【図２】呼出ボタンを前側から示した斜視説明図である。
【図３】遮光部材を前側から示した斜視説明図である。
【図４】組み付け状態にある呼出ボタン及び遮光部材の左右方向での断面を示した斜視説明図である。
【図５】インターホン子機の呼出ボタン位置における左右方向での断面を示した説明図である。
【図６】インターホン子機の左右方向での中央部における上下方向での断面を示した説明図である。
【発明を実施するための形態】
【００１０】
以下、本発明の一実施形態となるインターホン子機について、図面にもとづき詳細に説明する。
【００１１】
図１は、インターホン子機１を前側から示した斜視説明図である。図２は、呼出ボタン８を前側から示した斜視説明図である。図３は、遮光部材３０を前側から示した斜視説明図である。図４は、組み付け状態にある呼出ボタン８及び遮光部材１０の左右方向での断面を示した斜視説明図である。図５は、インターホン子機１の呼出ボタン８位置における左右方向での断面を示した説明図である。図６は、インターホン子機１の左右方向での中央部における上下方向での断面を示した説明図である。
【００１２】
インターホン子機１は、前側に配置される前ケース２と、後側に配置される後ケース３と、前ケース２の前面を覆うように取り付けられる化粧パネル４とで構成される本体ケースを有している。この本体ケースの前面上部には、来訪者等を撮像するためのカメラ部５が設けられているとともに、来訪者が居住者と通話等するためのマイク部６が設けられている。また、カメラ部５の下側には、同じく来訪者が居住者と通話等するためのスピーカ部７が設けられているとともに、スピーカ部７の更に下側には、来訪者が居住者を呼び出す際に押し込み操作する呼出ボタン８が設けられている。そして、このようなインターホン子機１は、住戸の玄関の壁面等に設置されており、来訪者による呼出ボタン８の操作に応じて、住戸内に設置されているインターホン親機（図示せず）を呼び出すとともに、カメラを作動させて来訪者を撮像する。なお、９は、インターホン子機１を壁面等に取り付けるための基台である。また、カメラにより撮像された映像は、インターホン親機に備えられているモニタに表示される。
【００１３】
ここで、本発明の要部となるインターホン子機１の点灯部について詳細に説明する。
点灯部は、インターホン子機１への通電に伴い点灯し、インターホン子機１の通電状態を報知するとともに、夜間等にインターホン子機１の設置位置（更にはインターホン子機１における呼出ボタン８の位置）を来訪者に知らせることにも利用されるものである。そして、当該点灯部は、呼出ボタン８の操作部２０（特に点灯突起部２１）、遮光部材３０、及び回路基板１０に搭載された通電表示用ＬＥＤ１１により構成される。
【００１４】
呼出ボタン８は、透光性を有する（特に点灯突起部２１を含んだ操作部２０が透光性を有している）合成樹脂製の部材であって、左右方向へ延びる帯状のスピーカ押さえ部２２と、スピーカ押さえ部２２の左右両端部から下方へ延びる一対の腕部２３、２３と、腕部２３、２３の下部同士を連結するように両腕部２３、２３にわたって架設された操作部２０とを一体的に備えている。操作部２０は、後面が開口する箱状で、腕部２３、２３から前方へ膨出するように形成されており、その前面の略中央部には、正面視円形の点灯突起部２１が前方へ突設されている。そして、操作部２０の前面の内面で、点灯突起部２１の内面側となる箇所は、周囲よりも前方へ凹んでおり、正面視が点灯突起部２１と略同径な円形の凹部２４とされている。なお、２５は、呼出ボタン８を前ケース２の内面側にネジ止めするためのネジ止め部であり、呼出ボタン８は、押し込み操作された際、該ネジ止め部２５、２５を支点として腕部２３、２３が後側へ撓むことになる。また、２６は、前ケース２の内面側へのネジ止めに伴い前ケース２の内面側に当接し、呼出ボタン８の通常位置よりも前側への移動を規制するための規制片である。
【００１５】
遮光部材３０は、遮光性を有する黒色等の合成樹脂により成形されてなるものであって、略中央部には、前後方向へ延びる円筒状の第１導光筒部３１が設けられている。該第１導光筒部３１の先端側の開口は、凹部２４と略同じ大きさの円形開口となっている。また、第１導光筒部３１の左右両側には、角筒状の第２導光筒部３２、３２が夫々形成されている。
回路基板１０は、インターホン子機１による通話等を制御するための種々の素子が搭載された電子基板であって、そのような素子に加え、通電表示用ＬＥＤ１１、夜間にカメラで映像を撮像する際の照明として機能する照明用ＬＥＤ１２、１２、呼出ボタン８の押し込み操作を検知するための呼出スイッチ（図示せず）等が搭載されている。
【００１６】
上記呼出ボタン８、遮光部材３０、及び回路基板１０は、前側から呼出ボタン８、遮光部材３０、回路基板１０の順で本体ケース内に組み付けられ、当該組付状態において、呼出ボタン８の操作部２０は、本体ケースの前面よりも前方へ張り出すことになる。また、遮光部材３０の第１導光筒部３１及び第２導光筒部３２、３２はどちらも操作部２０の後側に位置し、特に第１導光筒部３１は、操作部２０内へ突出し、その先端が凹部２４に近接する。さらに、回路基板１０に搭載されている通電表示用ＬＥＤ１１が、第１導光筒部３１の後側に、照明用ＬＥＤ１２、１２が第２導光筒部３２、３２の後側に夫々位置する。
【００１７】
そして、インターホン子機１では、インターホン子機１への通電に伴い、通電表示用ＬＥＤ１１が点灯する（たとえば赤色）。すると、通電表示用ＬＥＤ１１から発せられた光は、第１導光筒部３１内を通って凹部２４へ到達し（つまり、凹部２４の底面が照射面となり）、点灯突起部２１を介して本体ケースの前面側から視認可能となる。このとき、操作部２０の前面の内面に周囲よりも前側へ凹む凹部２４を設けており、凹部２４の底面を照射面としたことで、通電表示用ＬＥＤ１１の光の周囲の面への乱反射が抑制される。すなわち、通電表示用ＬＥＤ１１の光は、凹部２４（点灯突起部２１）を越えて周囲に拡散しにくい。したがって、本体ケースの前面側から視認した際、操作部２０が広範囲にわたりぼやけて光ったりすることがなく、通電表示用ＬＥＤ１１の光によって点灯突起部２１が従来よりも鮮明に光る。
【００１８】
なお、照明用ＬＥＤ１２、１２は、インターホン子機１の呼出ボタン８が押し込み操作された際、カメラでの撮像に照度が足りない場合に点灯される（たとえば白色）。すると、照明用ＬＥＤ１２、１２から発せられた光は、第２導光筒部３２、３２内を通って操作部２０内に到達し、操作部２０の前面を介して本体ケースの前側を照らすようになっている。ただし、通電表示用ＬＥＤ１１から凹部２４、ひいては点灯突起部２１へ至る導光路に関しては、第１導光筒部３１の筒状壁によって第２導光筒部３２内とは隔てられている上、上記構成により通電表示用ＬＥＤ１１の光が滲みにくくなっているため、たとえ照明用ＬＥＤ１２、１２の発光に伴い操作部２０の前面が光ったとしても、点灯突起部２１の発光は、その周囲と区別して視認可能となっている。
【００１９】
以上のような構成を有するインターホン子機１によれば、点灯突起部２１の内面側に凹部２４を設け、通電表示用ＬＥＤ１１により照射される照射面を、その周囲よりも前側へ凹ませているため、通電表示用ＬＥＤ１１の光の周囲の面への乱反射を抑制することができる。すなわち、通電表示用ＬＥＤ１１の光が、凹部２４（点灯突起部２１）を越えて周囲に拡散しにくい構造となっている。したがって、本体ケースの前面側から視認した際、操作部２０が広範囲にわたりぼやけて光ったりすることがなく、通電表示用ＬＥＤ１１の光によって点灯突起部２１を従来よりも鮮明に光らせることができる。
【００２０】
また、操作部２０と通電表示用ＬＥＤ１１との間に、第１導光筒部３１を有する遮光部材３０を設置し、通電表示用ＬＥＤ１１から発せられた光を、第１導光筒部３１内を通して凹部２４へ到達させるようにしている。したがって、通電表示用ＬＥＤ１１の光を凹部２４へのみ集中させることができ、点灯突起部２１を一層鮮明に光らせることができる。
【００２１】
なお、本発明に係るインターホン機器は、上記実施形態の態様に何ら限定されるものではなく、インターホン機器の全体的な構成は勿論、透光部や光源等に係る構成についても、本発明の趣旨を逸脱しない範囲で、必要に応じて適宜変更することができる。
【００２２】
たとえば、上記実施形態では、透光部となる点灯突起部を呼出ボタンに設けているが、呼出ボタン以外の位置（たとえば本体ケースの前面の下隅部等）に透光部を設けても何ら問題はないし、ひいては透光部の位置は本体ケースの前面に限定されない。
また、呼出ボタンの操作部は遮光性を有する合成樹脂で成形し、該操作部に空けた孔を透光性を有する合成樹脂製の部材で覆う等して透光部を設けてもよく、どのように透光部を設けるかについても適宜変更可能である。
【００２３】
さらに、上記実施形態では、光源の光を、通電表示と呼出ボタンの位置の報知との両者に使用しているが、光源を何れか一方にのみ使用するとしても何ら問題はない。
さらにまた、上記実施形態では、点灯突起部を透光部としている、すなわち透光部の本体ケース外面側を、本体ケースの外方へ突出させているが、透光部の内面側を本体ケース外側へ凹ませてさえいれば、透光部の本体ケース外面側を、その周囲と面一な平坦面としても何ら問題はない。
加えて、上記実施形態では、インターホン機器の一例であるインターホン子機について説明しているが、透光部及び光源を有するものであれば、集合玄関機等の他のインターホン機器であっても何ら問題はない。
【符号の説明】
【００２４】
１・・インターホン子機（インターホン機器）、２・・前ケース（本体ケース）、３・・後ケース（本体ケース）、４・・化粧パネル（本体ケース）、８・・呼出ボタン、１０・・回路基板、１１・・通電表示用ＬＥＤ（光源）、２０・・操作部、２１・・点灯突起部（透光部）、３０・・遮光部材、３１・・第１導光筒部（導光筒部）。
【図１】
2017034299.tif 000003
【図２】
2017034299.tif 000004
【図３】
2017034299.tif 000005
【図４】
2017034299.tif 000006
【図５】
2017034299.tif 000007
【図６】
2017034299.tif 000008